(57)【要約】【課題】オフセット部分での浮き上がりなく被配索側へ配索することができるワイヤハーネス及びワイヤハーネスのオフセット部分を容易に形成することが可能なワイヤハーネスのオフセット形成方法を提供する。【解決手段】複数のケーブル１３を平面状に一体化したフラットケーブル１４からなるワイヤハーネス１１であって、ケーブル１３の配列面内において、一方向へ湾曲され、さらに、他方向へ湾曲されたオフセット部２１を有し、延在方向が幅方向へずらされている。【選択図】図２
2011222259.tif 000002
【特許請求の範囲】
【請求項１】
複数のケーブルを平面状に一体化したフラットケーブルからなるワイヤハーネスであって、
前記ケーブルの配列面内において、一方向へ湾曲され、さらに、他方向へ湾曲されたオフセット部を有し、延在方向が幅方向へずらされていることを特徴とするワイヤハーネス。
【請求項２】
幅方向に分割されて複数の分割ケーブルとされ、前記分割ケーブルの少なくとも一つに前記オフセット部が設けられていることを特徴とする請求項１に記載のワイヤハーネス。
【請求項３】
複数のケーブルを平面状に一体化したフラットケーブルを、その長手方向の所定範囲において前記ケーブル毎に分離させる分離工程と、
前記所定範囲にて前記ケーブル毎に分離された前記フラットケーブルを、軸方向へ圧縮させながら前記ケーブルの配列面内において互いに反対方向へ二度湾曲させてオフセットさせるオフセット工程と、を含むことを特徴とするワイヤハーネスのオフセット形成方法。
【請求項４】
前記フラットケーブルを予め幅方向に分割された複数の分割ケーブルとする分割工程を含み、
前記分割ケーブルの少なくとも一つに対して前記分離工程と前記オフセット工程を行うことを特徴とする請求項３に記載のワイヤハーネスのオフセット形成方法。
【発明の詳細な説明】
【技術分野】
【０００１】
本発明は、自動車等に用いられるワイヤハーネス及びワイヤハーネスのオフセット形成方法に関する。
【背景技術】
【０００２】
例えば、自動車のセンターコンソール等に配索される電気配線用のワイヤハーネスとして、複数のケーブルを平面状に配列させたフラットケーブルからなるものがある。
【０００３】
ところで、ワイヤハーネスは、センターコンソール等の被配索側の形状や被配索側に取り付けられた部品等によって、配索経路を直線状とすることができない場合がある。このような場合、ワイヤハーネスの一部を折り返して配索経路をオフセットすることにより対応していた（例えば、特許文献１〜３参照）。
【先行技術文献】
【特許文献】
【０００４】
【特許文献１】特開平５−６２５４３号公報
【特許文献２】特開平８−３１５６４１号公報
【特許文献３】特開２００３−１１２５８４号公報
【発明の概要】
【発明が解決しようとする課題】
【０００５】
上記のように、フラットケーブルを折り返すことにより、配索経路をオフセットしたワイヤハーネスは、その折り返し部分における厚みが厚くなり、また、フラットケーブルの復元力で折り返し部分が浮き上がってしまう。したがって、このワイヤハーネスを配索すると、折り返した部分（オフセット部分）における被配索側への密着力の低下によりワイヤハーネスの脱落を招くおそれがある。
【０００６】
また、フラットケーブルを折り返して配索経路をオフセットしたワイヤハーネスを形成するには、オフセットさせるフラットケーブルを、折り返し箇所を中心として大きく振り回さなければならず、したがって、広い作業スペースが必要であった。しかも、折り返しの際に、折り返し側のフラットケーブルを大きく振り回すため、筺体や配索治具から外した状態としておく必要があった。つまり、被配索側に配索しながら配索方向をオフセットさせることができず、配索方向をオフセットさせるためだけの工程が別途必要であった。
【０００７】
本発明は、上述した事情に鑑みてなされたものであり、その目的は、オフセット部分での浮き上がりなく被配索側へ配索することができるワイヤハーネス及びワイヤハーネスのオフセット部分を容易に形成することが可能なワイヤハーネスのオフセット形成方法を提供することにある。
【課題を解決するための手段】
【０００８】
前述した目的を達成するために、本発明に係るワイヤハーネスは、下記（１）または（２）を特徴としている。
（１）  複数のケーブルを平面状に一体化したフラットケーブルからなるワイヤハーネスであって、
前記ケーブルの配列面内において、一方向へ湾曲され、さらに、他方向へ湾曲されたオフセット部を有し、延在方向が幅方向へずらされていること。
（２）  上記（１）の構成のワイヤハーネスにおいて、
幅方向に分割されて複数の分割ケーブルとされ、前記分割ケーブルの少なくとも一つに前記オフセット部が設けられていること。
【０００９】
上記（１）の構成のワイヤハーネスでは、オフセット部にて一方向へ湾曲され、さらに他方向へ湾曲されて延在方向が幅方向へずらされているので、被配索側の形状や取り付けられた部品等によって、直線状の配索経路が確保できないような場合でも、障害物を避けて配索することができる。
また、フラットケーブルを折り返すことにより幅方向へオフセットさせたものと比較して、オフセット部における浮き上がりを防止することができる。つまり、被配索側に対するワイヤハーネスの良好な密着性を確保することができ、よって、被配索側への密着性の低下による脱落なく配索することができる。
上記（２）の構成のワイヤハーネスでは、障害物によって直線的に配索することができないためにオフセットが必要な箇所だけを避けて配索することができる。
【００１０】
また、上述した目的を達成するために、本発明に係るワイヤハーネスのオフセット形成方法は、下記（３）または（４）を特徴としている。
（３）  複数のケーブルを平面状に一体化したフラットケーブルを、その長手方向の所定範囲において前記ケーブル毎に分離させる分離工程と、
前記所定範囲にて前記ケーブル毎に分離された前記フラットケーブルを、軸方向へ圧縮させながら前記ケーブルの配列面内において互いに反対方向へ二度湾曲させてオフセットさせるオフセット工程と、を含むこと。
（４）  上記（３）の構成のワイヤハーネスのオフセット形成方法において、
前記フラットケーブルを予め幅方向に分割された複数の分割ケーブルとする分割工程を含み、
前記分割ケーブルの少なくとも一つに対して前記分離工程と前記オフセット工程を行うこと。
【００１１】
上記（３）のワイヤハーネスのオフセット形成方法では、フラットケーブルを、その長手方向の所定範囲においてケーブル毎に分離させ、ケーブル毎に分離させたフラットケーブルを、軸方向へ圧縮させながらケーブルの配列面内において互いに反対方向へ二度湾曲させることにより、極めて容易に延在方向が幅方向へずらされたワイヤハーネスとすることができる。
したがって、折り返してオフセットする場合のように、折り返し箇所を中心としてフラットケーブルを大きく振り回す必要がなく、よって、狭いスペースにて容易にオフセットさせることができる。これにより、被配索側に配索しながら配索方向をオフセットすることができ、配索作業性を大幅に向上させることができる。
上記（４）のワイヤハーネスのオフセット形成方法では、障害物によって直線的に配索することができないために必要な箇所だけがオフセットされたワイヤハーネスを容易に形成することができる。
【発明の効果】
【００１２】
本発明によれば、オフセット部分での浮き上がりなく被配索側へ配索することができるワイヤハーネス及びワイヤハーネスのオフセット部分を容易に形成することが可能なワイヤハーネスのオフセット形成方法を提供できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】ワイヤハーネスが配索されたセンターコンソールの斜視図である。
【図２】本発明の実施形態に係るワイヤハーネスのオフセット部における平面図である。
【図３】センターコンソールへのワイヤハーネスの配索の仕方を説明する配索箇所の一部の斜視図である。
【図４】本発明の実施形態に係るワイヤハーネスのオフセット部における平面図である。
【図５】本発明の実施形態に係るワイヤハーネスのオフセット形成方法を説明する図であって、（ａ）〜（ｃ）は、それぞれワイヤハーネスのオフセット部における平面図である。
【図６】参考例に係るワイヤハーネスのオフセット形成方法を説明する図であって、（ａ）〜（ｄ）は、それぞれワイヤハーネスのオフセット部における平面図である。
【図７】参考例に係るワイヤハーネスのオフセット部における斜視図である。
【発明を実施するための形態】
【００１５】
以下、本発明に係る実施の形態の例を、図面を参照して説明する。
【００１６】
図１はワイヤハーネスが配索されたセンターコンソールの斜視図、図２は本発明の実施形態に係るワイヤハーネスのオフセット部における平面図、図３はセンターコンソールへのワイヤハーネスの配索の仕方を説明する配索箇所の一部の斜視図、図４は本発明の実施形態に係るワイヤハーネスのオフセット部における平面図である。
【００１７】
図１に示すように、ワイヤハーネス１１は、例えば、自動車等の車両に組み付けられるセンターコンソール（被配索側）１２の配索面１２ａの配索箇所Ａに配索される。
【００１８】
このワイヤハーネス１１は、図２に示すように、複数本のケーブル１３を平面状に配列させて外被によって一体化させたフラットケーブル１４から構成されている。
【００１９】
このワイヤハーネス１１は、その一部が湾曲したオフセット部２１を有している。オフセット部２１では、ワイヤハーネス１１の幅方向の一部分（図２では約半分）がオフセットケーブル（分割ケーブル）２２とされ、このオフセットケーブル２２が、他の部分のストレートケーブル（分割ケーブル）２３側（一方向）へ湾曲され、さらに、ストレートケーブル２３の延在方向（他方向）へ湾曲され、ストレートケーブル２３に沿わされている。
【００２０】
ここで、ワイヤハーネス１１のオフセットケーブル２２は、オフセット部２１にて、各ケーブル１３が、折り返されずに、それぞれケーブル１３の配列面内において互いに反対方向へ二度湾曲されている。したがって、オフセット部２１では、その厚さがフラットケーブル１４を２枚積層した程度の厚さに抑えられている。
【００２１】
そして、このオフセット部２１を有するワイヤハーネス１１では、センターコンソール１２の形状やセンターコンソール１２に取り付けられた部品等によって、直線状の配索経路が確保できないような場合でも、障害物を避けて直線的に配索することができる。
【００２２】
なお、このワイヤハーネス１１は、センターコンソール１２における配索箇所Ａに対して、接着テープ又はホットメルトタイプの接着材などによって固定される。
【００２３】
このとき、オフセット部２１は、フラットケーブル１４を２枚積層した程度の厚さであり、また折り返しが無いため、センターコンソール１２の配索箇所Ａからの浮き上がりなく固定することができる。つまり、センターコンソール１２に対するワイヤハーネス１１の良好な密着性を確保することができ、よって、センターコンソール１２への密着性の低下による脱落なく、ワイヤハーネス１１をセンターコンソール１２の配索箇所Ａに、容易に位置決めして配索することができる。
【００２４】
ここで、図３に示すものは、センターコンソール１２の形状等によって直線的に配索することができない配索箇所における配索例を示している。このような配索箇所においては、図４に示すように、予めオフセット部２１にてオフセットさせたワイヤハーネス１１を用いる。そして、このワイヤハーネス１１を、接着テープ又は接着材によって、センターコンソール１２の配索面に貼り付けながら配索する。
【００２５】
このようにすると、被配索側であるセンターコンソール１２の配設面に密着させて内倒れなく配索することができる。つまり、配索寸法誤差を含んだ配索長を考慮しなければならない三次元的な配索や車両の走行時の振動によって破損したり異音を発生させるような空中配索をなくすことができる。特に、空中配索部分がないので、車両組立時に他の部品が空中配索部分に引っ掛かり、組立作業に支障が生じるような不具合もなくすことができる。
【００２６】
次に、ワイヤハーネス１１にオフセット部２１を形成する方法について説明する。
【００２７】
まず、図５（ａ）に示すように、ワイヤハーネス１１を長手方向へ切断することにより、オフセットさせるオフセットケーブル２２とストレートケーブル２３とに分割する（分割工程）。
【００２８】
また、オフセットケーブル２２のオフセット部２１を形成するオフセット区間において、一体化されているケーブル１３同士の間にスリットを形成することにより、これらケーブル１３を分離させて単線化させる（分離工程）。
【００２９】
なお、ケーブル１３同士が外被を形成する樹脂からなるブリッジによって連結されている場合、このブリッジを打ち抜いてケーブル１３を単線化するのが好ましい。
【００３０】
次に、図５（ｂ）に示すように、オフセットケーブル２２を、軸方向へ圧縮させるようにして、ケーブル１３の配列面内において互いに反対方向へ二度水平移動させて湾曲させる。
【００３１】
そして、図５（ｃ）に示すように、オフセットケーブル２２を、ストレートケーブル２３に沿わせる（オフセット工程）。
【００３２】
このようにして、オフセットケーブル２２をオフセットさせたら、オフセット部２１におけるオフセットケーブル２２を接着テープ又は接着材によって固定する。
【００３３】
上記ワイヤハーネスのオフセット形成方法によれば、フラットケーブル１４を、その長手方向の所定範囲においてケーブル１３に分離させ、ケーブル１３に分離させたフラットケーブル１４を、軸方向へ圧縮させながらケーブル１３の配列面内において互いに反対方向へ二度湾曲させることにより、極めて容易に延在方向が幅方向へずらされたワイヤハーネス１１とすることができる。
【００３４】
したがって、折り返してオフセットする場合のように、折り返し箇所を中心としてフラットケーブル１４を大きく振り回す必要がなく、よって、狭いスペースにて容易にオフセットさせることができる。これにより、センターコンソール１２に配索しながら同時に配索方向をオフセットすることができる。つまり、オフセットさせるためだけの別途の工程を不要とすることができ、配索作業性を大幅に向上させることができる。
【００３５】
ここで、本発明の更なる優位性を説明するため、図６及び図７に参考例を示す。
【００３６】
図６はワイヤハーネスのオフセット形成方法を説明する図であり、図７はオフセットしたワイヤハーネスの斜視図である。
【００３７】
この参考例では、ワイヤハーネスを折り返すことにより、ワイヤハーネスにオフセット部を形成する。
【００３８】
具体的には、図６（ａ）に示すように、まず、ワイヤハーネス１１を長手方向へ切断することにより、オフセットさせるオフセットケーブル２２とストレートケーブル２３とに分割する。次に、図６（ｂ）に示すように、オフセットケーブル２２を、ストレートケーブル２３側へ折り返す。さらに、図６（ｃ）に示すように、折り返したオフセットケーブル２２を、さらに折り返す。そして、図６（ｄ）に示すように、２度折り返したオフセットケーブル２２を、ストレートケーブル２３に沿わせる。
【００３９】
このようにしてオフセット部２１を形成する場合、折り返し箇所を中心としてオフセットケーブル２２を大きく振り回さなければならず、広いスペースが必要となる。しかも、折り返しの際に、折り返し側のオフセットケーブル２２を大きく振り回すため、折り返し側のオフセットケーブル２２を、センターコンソール１２や配索治具から外した状態としておく必要がある。つまり、センターコンソール１２に配索しながら配索方向をオフセットすることができず、配索方向をオフセットするためだけの工程が別途必要となる。
【００４０】
そして、このようにして形成したオフセット部２１は、図７に示すように、オフセット部２１における厚みが厚くなる。
【００４１】
また、配索箇所に固定しても、折り返したオフセットケーブル２２が復元することにより、配索箇所から浮き上がってしまい、配索箇所Ａから脱落するおそれがある。
【００４２】
なお、上記実施形態では、フラットケーブル１４を幅方向に分割し、一方のオフセットケーブル２２をオフセットさせたが、フラットケーブル１４の全体をオフセットさせても良い。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００４４】
１１  ワイヤハーネス
１３  ケーブル
１４  フラットケーブル
２１  オフセット部
２２  オフセットケーブル（分割ケーブル）
２３  ストレートケーブル（分割ケーブル）
【図１】
2011222259.tif 000003
【図２】
2011222259.tif 000004
【図３】
2011222259.tif 000005
【図４】
2011222259.tif 000006
【図５】
2011222259.tif 000007
【図６】
2011222259.tif 000008
【図７】
2011222259.tif 000009